(57)【要約】【課題】余分な部品を設置することなく、安価で効率よくハウジング内を放熱できる手段を備えた電源分配装置の提供。【解決手段】ハウジングと、通電によって発熱する発熱部とを有する電源分配装置において、前記発熱体に隣接してハウジングの壁を設けると共に、前記発熱体がハウジングの壁を介して外気と直接接触可能な構造としたことを特徴とする電源分配装置。【選択図】図３
2007336701.tif 000002
【特許請求の範囲】
【請求項１】
ハウジングと、通電によって発熱する発熱部とを有する電源分配装置において、
前記発熱体に隣接してハウジングの壁を設けると共に、前記発熱体がハウジングの壁を介して外気と直接接触可能な構造としたことを特徴とする電源分配装置。
【請求項２】
前記発熱部が、バスバー又はリジッド基板で構成された回路であることを特徴とする請求項１に記載の電源分配装置。
【請求項３】
前記発熱部とハウジングの壁との間に、グリスとゴムシートとの一方又は両方を介在させたことを特徴とする請求項１又は２に記載の電源分配装置。
【発明の詳細な説明】
【技術分野】
【０００１】
本発明は、自動車用電源分配用部品などとして使われる電源分配装置（以下、ＪＢと記す。）に関し、特に通電によって発生した熱を、安価に効率よく放熱する構造に関する。
【背景技術】
【０００２】
従来、自動車用電源分配用部品などとして使われるＪＢは、ハウジング内にバスバーあるいはリジット基板で構成した回路、回路の保護を目的としたヒューズ、回路への通電・遮断を行うリレー等が収容された構造になっている。これらの部品（ヒューズ、リレー）、部材（回路）に通電すると、ジュール熱によって発熱するため、ＪＢのハウジング内は高温になり易い。ハウジング内が高温になると、各部品の熱劣化が促進され、ＪＢの寿命が短くなるおそれがある。
【０００３】
従来、ＪＢにおいてハウジング内の温度上昇を抑制するための手段としては、例えば特許文献１，２に記載された技術が提案されている。
特許文献１には、所定の回路を形成して、該回路をケース内に収納し、該ケースに発熱部品が搭載された自動車用電気接続箱において、前記ケース内の回路の発熱部近傍に該ケースとは別体の集熱板を設け、密封した管状体の中に作動液を封入して一端側を放熱部、他端側を吸熱部としたヒートパイプの吸熱部を前記集熱板に取り付け、かつ放熱部をケースの外に突出したことを特徴とする自動車用電気接続箱が開示されている。
特許文献２には、ケース内にヒューズおよび／またはリレーを収容し、カバーを装着してなる電気接続箱において、ケースまたはカバーの一部に排気又は吸気用の開口を設け、その開口に排気又は吸気用の電動ファンを取り付けたことを特徴とする電気接続箱が開示されている。
【特許文献１】実用新案登録第２５８２４５０号公報
【特許文献２】実開平３−９１０１４号公報
【発明の開示】
【発明が解決しようとする課題】
【０００４】
しかしながら、特許文献１及び特許文献２に記載された従来技術では、放熱のためにＪＢにヒートパイプと集熱板（特許文献１）や電動ファン（特許文献２）などの余分な部品を設置しなければならず、製品コストの上昇をまねく問題がある。また、余分な部品を設置することで、ＪＢの大型化をまねいたり、ＪＢの設計の自由度が制限されるなどの問題がある。
【０００５】
一方、前述した放熱手段を設けていないＪＢの基本的な構造において、ＪＢのハウジングは意匠性を損なわない目的で、外観上の凹凸を少なくしてある。このため、ハウジング内には、何も無い部屋、言い換えると空気だけが存在する部屋が点在する。この部屋は、空気の対流が少ない状況になっているため、ハウジング内と外気との間の熱の移動を妨げる絶縁層になっている。図１及び図２は、熱の絶縁層となる空気の部屋１４を有する従来のＪＢ１０を例示する図であり、図１（ａ）はＪＢ１０の正面図、（ｂ）は側面図、図２は図１（ａ）中のＡ−Ａ部断面図である。これらの図中、符号１０はＪＢ、１１はハウジングの壁、１２は基板の発熱部（回路部）、１４は空気の部屋、１５は熱である。この従来のＪＢ１０において、図２に示すように、基板の回路に通電することで発熱部１２が発熱した場合、発熱部１２の周囲がハウジングの壁１１で覆われて空気の部屋１４となっているために、矢印で示した放熱経路（発熱部１２→空気の部屋１４→ハウジングの壁１１→ＪＢ１０をとりまく外気）では、良好な熱の移動が行われない。この結果、ハウジング内部に熱が蓄えられ、ハウジング内が高温になり易くなり、各部品の熱劣化が促進され、ＪＢの寿命が短くなるおそれがある。
【０００６】
本発明は、前記事情に鑑みてなされ、余分な部品を設置することなく、安価で効率よくハウジング内を放熱できる手段を備えたＪＢの提供を目的とする。
【課題を解決するための手段】
【０００７】
前記目的を達成するため、本発明は、ハウジングと、通電によって発熱する発熱部とを有するＪＢにおいて、前記発熱体に隣接してハウジングの壁を設けると共に、前記発熱体がハウジングの壁を介して外気と直接接触可能な構造としたことを特徴とするＪＢを提供する。
【０００８】
本発明のＪＢにおいて、前記発熱部が、バスバー又はリジッド基板で構成された回路であることが好ましい。
【０００９】
本発明のＪＢにおいて、前記発熱部とハウジングの壁との間に、グリスとゴムシートとの一方又は両方を介在させたことが好ましい。
【発明の効果】
【００１０】
本発明のＪＢは、発熱体に隣接してハウジングの壁を設けると共に、前記発熱体がハウジングの壁を介して外気と直接接触可能な構造としたものなので、ハウジング内に熱の絶縁層となる空気の部屋を無くすことができ、良好な熱の移動が行われ、ハウジング内の温度上昇を抑制することができる。
また、ハウジング内の温度上昇を低く保てるため、部品の熱劣化が抑えられて、ＪＢの長寿命化を達成できる。
さらに、ハウジング内の温度上昇を低く保てるため、温度上昇に余裕がある場合は、回路の密度を上げて小型化したり、ヒューズ、リレーなどの配置間隔を狭めて小型化するなど、ＪＢの設計の自由度を広げることができる。
【発明を実施するための最良の形態】
【００１１】
以下、図面を参照して本発明の実施形態を説明する。
図３は、本発明に係るＪＢの一実施形態を示す図であり、図中符号１２は発熱部（回路部）、１３はリジッド基板、２０はＪＢ、２１はハウジングの壁、２２は熱をそれぞれ表している。
【００１２】
本実施形態のＪＢ２０は、ハウジングと、通電によって発熱する発熱部１２とを有し、前記発熱体１２に隣接してハウジングの壁２１を設けると共に、前記発熱体１２がハウジングの壁を介して外気と直接接触可能な構造になっている。
【００１３】
本実施形態では、発熱部１２として、ＪＢ２０に搭載されたリジッド基板１３に設けられた回路部を例示しているが、発熱体としてはこれに限定されず、例えば、バスバーで構成した回路、回路の保護を目的としたヒューズ、回路への通電・遮断を行うリレー等であってもよい。
【００１４】
本実施形態のＪＢ２０は、発熱部１２に隣接してハウジングの壁２１を設けることで、熱の絶縁層であった空気の部屋（図２中符号１４参照）を無くすことができる。これによって、発熱部１２は、ハウジングの壁を介して外気と直接接触可能な構造とすることができる。リジッド基板１３に通電すると、発熱部１２では熱２２が生じるが、このＪＢ２０では、発熱部１２がハウジングの壁を介して外気と直接接触しているので、生じた熱２２は、発熱部１２から直接ハウジング外部へ放熱される。
【００１５】
本実施形態のＪＢ２０は、発熱部１２に隣接してハウジングの壁２１を設けると共に、発熱部１２がハウジングの壁を介して外気と直接接触可能な構造としたものなので、ハウジング内に熱の絶縁層となる空気の部屋を無くすことができ、良好な熱の移動が行われ、ハウジング内の温度上昇を抑制することができる。
また、ハウジング内の温度上昇を低く保てるため、部品の熱劣化が抑えられて、ＪＢ２０の長寿命化を達成できる。
さらに、ハウジング内の温度上昇を低く保てるため、温度上昇に余裕がある場合は、回路の密度を上げて小型化したり、ヒューズ、リレーなどの配置間隔を狭めて小型化するなど、ＪＢ２０の設計の自由度を広げることができる。
【００１６】
なお、本発明は前記実施形態に限定されるものではなく、種々の修正や変更が可能である。
例えば、発熱部１２とハウジングの壁２１との間に、熱の伝達が良好に行われるように熱伝導性の良いグリス、ゴムシートなどを内挿させても良い。
【図面の簡単な説明】
【００１７】
【図１】従来のＪＢの一例を示し、（ａ）はＪＢの正面図、（ｂ）は側面図である。
【図２】図１（ａ）のＡ−Ａ部断面図である。
【図３】本発明のＪＢの一実施形態を示す図である。
【符号の説明】
【００１８】
１２…発熱部（回路部）、１３…リジッド基板、２０…ＪＢ、２１…ハウジングの壁、２２…熱。
【図１】
2007336701.tif 000003
【図２】
2007336701.tif 000004
【図３】
2007336701.tif 000005